【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）によるワイヤレス通信の方法であって、
第２のＵＥから安全メッセージを受信することと、ここにおいて、前記受信された安全メッセージは、前記受信された安全メッセージが第１の安全メッセージタイプ、それとも第２の安全メッセージタイプであるかを示すクラスタインジケータを含み、前記第１の安全メッセージタイプは単一のＵＥに関連付けられ、前記単一のＵＥについての情報を含み、前記第２の安全メッセージタイプは複数のＵＥに関連付けられ、前記複数のＵＥについての情報を含む、
前記安全メッセージ中に含まれる前記クラスタインジケータに基づいて、前記受信された安全メッセージが、前記第１の安全メッセージタイプであるか、それとも前記第２の安全メッセージタイプであるか決定することと、
前記受信された安全メッセージに基づいて、前記第１のＵＥと前記第２のＵＥとの間の近接条件が満足されるかどうか決定することと、
前記第１のＵＥのモードを決定することと、前記第１のＵＥの前記モードは、前記第１のＵＥがＵＥのいずれのクラスタのメンバーでもないことを示すスタンドアロンモード、または前記第１のＵＥがＵＥのクラスタのメンバーであることを示すクラスタメンバーモードのうちの１つである、
前記第１のＵＥが前記第２のＵＥに関連付けられたＵＥのクラスタのメンバーであるクラスタメンバーモードに前記第１のＵＥがあるとき、前記受信された安全メッセージ中の識別子の、前記ＵＥのクラスタに関連付けられたリーダーＵＥ識別子との成功裏の一致に基づいて、および前記近接条件が満足されるかどうかの前記決定に基づいて、前記ＵＥのクラスタを出るかどうか決定することと
を備える方法。
【請求項２】
前記第１の安全メッセージタイプは、前記単一のＵＥについてのロケーション情報と動き情報とを備え、前記第２の安全メッセージタイプは、クラスタ形状フィールド、クラスタサイズフィールド、またはクラスタ個体数フィールド（cluster population field）のうちの少なくとも１つを備え、前記第２の安全メッセージタイプの前記クラスタ形状フィールド、前記クラスタサイズフィールド、および前記クラスタ個体数フィールドは複数のＵＥに関連付けられる、請求項１に記載の方法。
【請求項３】
前記第１の安全メッセージタイプは、ＵＥのクラスタのリーダーＵＥに関連付けられたリーダーＵＥ識別子と、前記ＵＥのクラスタに加わること、または出ることの意図を示すインジケータとを含むクラスタリング制御フィールドをさらに備える、請求項１に記載の方法。
【請求項４】
前記第２の安全メッセージタイプは、ＵＥのクラスタのリーダーに関連付けられたリーダーＵＥ識別子、クラスタロケーション情報、またはクラスタ動き情報をさらに備える、請求項１に記載の方法。
【請求項５】
前記第２の安全メッセージタイプは、前記受信された安全メッセージが、高齢者のグループ、子供のグループ、身体障害があるユーザのグループ、または救急隊員のグループに関連付けられるかどうかを示す特殊グループインジケータフィールドをさらに備える、請求項４に記載の方法。
【請求項６】
前記受信された安全メッセージは前記第２の安全メッセージタイプであり、ＵＥのクラスタのメンバーである複数のＵＥに関連付けられたクラスタロケーション情報を備え、前記クラスタロケーション情報は、前記ＵＥのクラスタの形状に関連付けられた基準点を示し、
前記第１のＵＥと前記第２のＵＥとの間の前記近接条件が満足されるかどうか前記決定することは、前記クラスタロケーション情報に基づき、
前記クラスタロケーション情報に基づいて、前記第１のＵＥと前記第２のＵＥとの間の距離が閾値未満であるかどうか決定することと、
前記第１のＵＥと前記第２のＵＥとの間の相対的動きを決定することと
を備える、請求項１に記載の方法。
【請求項７】
前記第１のＵＥの前記決定されたモードが前記スタンドアロンモードであり、前記近接条件が満足されるとき、前記第２のＵＥに関連付けられたＵＥのクラスタに加わると決定することと、ここにおいて、前記受信された安全メッセージは前記第２の安全メッセージタイプであり、前記第２のＵＥは前記ＵＥのクラスタのリーダーＵＥである、
前記ＵＥのクラスタに加わるという前記決定に基づいて、第２の安全メッセージを送信することと、前記第２の安全メッセージは、前記第１の安全メッセージタイプであり、前記第２のＵＥに関連付けられた識別子と、前記第２のＵＥに関連付けられた前記ＵＥのクラスタに加わるという意図を示すインジケータとを含むクラスタリング制御フィールドを含む、
をさらに備える、請求項１に記載の方法。
【請求項８】
前記受信された安全メッセージは前記第２の安全メッセージタイプであり、前記方法は、
前記識別子の前記リーダーＵＥ識別子との成功裏の一致に基づいて、前記近接条件が満足されるかどうか決定することに関連した情報を記憶することと
をさらに備える、請求項１に記載の方法。
【請求項９】
前記ＵＥのクラスタを出るかどうかの前記決定に基づいて、第２の安全メッセージを送信することをさらに備え、前記第２の安全メッセージは、前記第１の安全メッセージタイプに関連付けられ、前記リーダーＵＥ識別子と、第２のＵＥに関連付けられた前記ＵＥのクラスタを出るという意図を示すインジケータとを含むクラスタリング制御フィールドを含む、請求項８に記載の方法。
【請求項１０】
前記第１のＵＥの前記決定されたモードが前記スタンドアロンモードであるとき、前記第１のＵＥと前記第２のＵＥとを含む前記ＵＥのクラスタのリーダーＵＥとして働くと決定することと、ここにおいて、前記受信された安全メッセージは前記第１の安全メッセージタイプである、
前記受信された安全メッセージに基づいて、クラスタロケーション情報、クラスタ動き情報、クラスタ形状、クラスタサイズ、またはクラスタ個体数のうちの少なくとも１つを決定することと、
前記クラスタロケーション情報、前記クラスタ動き情報、前記クラスタ形状、前記クラスタサイズ、または前記クラスタ個体数のうちの前記決定された少なくとも１つに基づいて、第２の安全メッセージを送信することと、ここにおいて、前記第２の安全メッセージは前記第２の安全メッセージタイプである、
をさらに備える、請求項１に記載の方法。
【請求項１１】
前記第１のＵＥの前記決定されたモードが前記クラスタメンバーモードであるとき、前記ＵＥのクラスタを出るかどうか前記決定することは、前記第１のＵＥが、前記ＵＥのクラスタに関連付けられたリーダーＵＥから、持続時間内に前記第２の安全メッセージタイプの第２の安全メッセージを受信したかどうかにさらに基づく、請求項１に記載の方法。
【請求項１２】
第２の安全メッセージを定期的にブロードキャストすることをさらに備え、前記第２の安全メッセージは前記第１の安全メッセージタイプであり、前記第２の安全メッセージは、前記第１のＵＥに関連付けられたロケーション情報と動き情報とを含む、請求項１に記載の方法。
【請求項１３】
前記受信された安全メッセージは前記第２の安全メッセージタイプであり、前記ＵＥのクラスタのクラスタ形状を備える、請求項１に記載の方法。
【請求項１４】
前記受信された安全メッセージは、前記ＵＥのクラスタのサイズを示すクラスタサイズ情報をさらに備え、前記ＵＥのクラスタの前記サイズは前記クラスタ形状に依存する、請求項１３に記載の方法。
【請求項１５】
ワイヤレス通信のための装置であって、前記装置は第１のユーザ機器（ＵＥ）であり、
メモリと、
前記メモリに結合された少なくとも１つのプロセッサとを備え、前記少なくとも１つのプロセッサは、
第２のＵＥから安全メッセージを受信することと、ここにおいて、前記受信された安全メッセージは、前記受信された安全メッセージが第１の安全メッセージタイプであるか、それとも第２の安全メッセージタイプであるかを示すクラスタインジケータを含み、前記第１の安全メッセージタイプは単一のＵＥに関連付けられ、前記単一のＵＥについての情報を含み、前記第２の安全メッセージタイプは複数のＵＥに関連付けられ、前記複数のＵＥについての情報を含む、
前記安全メッセージ中に含まれる前記クラスタインジケータに基づいて、前記受信された安全メッセージが、前記第１の安全メッセージタイプであるか、それとも前記第２の安全メッセージタイプであるか決定することと、
前記受信された安全メッセージに基づいて、前記第１のＵＥと前記第２のＵＥとの間の近接条件が満足されるかどうか決定することと、
前記第１のＵＥのモードを決定することと、前記第１のＵＥの前記モードは、前記第１のＵＥがＵＥのいずれのクラスタのメンバーでもないことを示すスタンドアロンモード、または前記第１のＵＥがＵＥのクラスタのメンバーであることを示すクラスタメンバーモードのうちの１つである、
前記第１のＵＥが前記第２のＵＥに関連付けられたＵＥのクラスタのメンバーであるクラスタメンバーモードに前記第１のＵＥがあるとき、前記受信された安全メッセージ中の識別子の、前記ＵＥのクラスタに関連付けられたリーダーＵＥ識別子との成功裏の一致に基づいて、および前記近接条件が満足されるかどうかの前記決定に基づいて、前記ＵＥのクラスタを出るかどうか決定することと
を行うように構成される、装置。
【請求項１６】
前記受信された安全メッセージは前記第２の安全メッセージタイプであり、ＵＥのクラスタのメンバーである複数のＵＥに関連付けられたクラスタロケーション情報を備え、前記クラスタロケーション情報は、前記ＵＥのクラスタの形状に関連付けられた基準点を示し、前記少なくとも１つのプロセッサは、
前記クラスタロケーション情報に基づいて、前記第１のＵＥと前記第２のＵＥとの間の距離が閾値未満であるかどうか決定すること、および
前記第１のＵＥと前記第２のＵＥとの間の相対的動きを決定すること
によって、前記クラスタロケーション情報に基づいて前記第１のＵＥと前記第２のＵＥとの間の前記近接条件が満足されるかどうか決定するように構成される、請求項１５に記載の装置。
【請求項１７】
前記少なくとも１つのプロセッサは、
前記第１のＵＥの前記決定されたモードが前記スタンドアロンモードであり、前記近接条件が満足されるとき、前記第２のＵＥに関連付けられた前記ＵＥのクラスタに加わると決定することと、ここにおいて、前記受信された安全メッセージは前記第２の安全メッセージタイプであり、前記第２のＵＥは前記ＵＥのクラスタのリーダーＵＥである、
前記ＵＥのクラスタに加わるという前記決定に基づいて、第２の安全メッセージを送信することと、前記第２の安全メッセージは、前記第１の安全メッセージタイプであり、前記第２のＵＥに関連付けられた識別子と、前記第２のＵＥに関連付けられた前記ＵＥのクラスタに加わるという意図を示すインジケータとを含むクラスタリング制御フィールドを含む、
を行うようにさらに構成される、請求項１５に記載の装置。
【請求項１８】
前記受信された安全メッセージは前記第２の安全メッセージタイプであり、前記少なくとも１つのプロセッサは、
前記識別子の前記リーダーＵＥ識別子との成功裏の一致に基づいて、前記近接条件が満足されるかどうか決定することに関連した情報を記憶すること、
を行うようにさらに構成される、請求項１５に記載の装置。
【請求項１９】
前記少なくとも１つのプロセッサは、前記ＵＥのクラスタを出るかどうかの前記決定に基づいて、第２の安全メッセージを送信するようにさらに構成され、前記第２の安全メッセージは、前記第１の安全メッセージタイプに関連付けられ、前記リーダーＵＥ識別子と、第２のＵＥに関連付けられた前記ＵＥのクラスタを出るという意図を示すインジケータとを含むクラスタリング制御フィールドを含む、請求項１８に記載の装置。
【請求項２０】
前記少なくとも１つのプロセッサは、
前記第１のＵＥの前記決定されたモードが前記スタンドアロンモードであるとき、前記第１のＵＥと前記第２のＵＥとを含む前記ＵＥのクラスタのリーダーＵＥとして働くと決定することと、ここにおいて、前記受信された安全メッセージは前記第１の安全メッセージタイプである、
前記受信された安全メッセージに基づいて、クラスタロケーション情報、クラスタ動き情報、クラスタ形状、クラスタサイズ、またはクラスタ個体数のうちの少なくとも１つを決定することと、
前記クラスタロケーション情報、前記クラスタ動き情報、前記クラスタ形状、前記クラスタサイズ、または前記クラスタ個体数のうちの前記決定された少なくとも１つに基づいて、第２の安全メッセージを送信することと、ここにおいて、前記第２の安全メッセージは前記第２の安全メッセージタイプである、
を行うようにさらに構成される、請求項１５に記載の装置。
【請求項２１】
前記第１のＵＥの前記決定されたモードが前記クラスタメンバーモードであるとき、前記ＵＥのクラスタを出るかどうか前記決定することは、前記第１のＵＥが、前記ＵＥのクラスタに関連付けられたリーダーＵＥから、持続時間内に前記第２の安全メッセージタイプの第２の安全メッセージを受信したかどうかにさらに基づく、請求項１５に記載の装置。
【手続補正２】
【補正対象書類名】明細書
【補正対象項目名】００９８
【補正方法】変更
【補正の内容】
【００９８】
[00115]前の説明は、いかなる当業者も本明細書に記載された様々な態様を実践することを可能にするために提供される。これらの態様に対する様々な修正は当業者には容易に明らかであり、本明細書において規定された一般的原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書において説明されるいずれの態様も、必ずしも他の態様よりも好ましいか、または有利であると解釈されるとは限らない。別段に明記されていない限り、「いくつかの」という用語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバーを含み得る。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書において開示するいかなることも、そのような開示が特許請求の範囲に明示的に記載されているか否かにかかわらず、公に供するものではない。いかなるクレーム要素も、その要素が「ための手段」という句を使用して明確に列挙されていない限り、ミーンズプラスファンクションとして解釈されるべきではない。
以下に本願の出願当初の特許請求の範囲に記載された発明を付記する。
［Ｃ１］
第１のユーザ機器（ＵＥ）によるワイヤレス通信の方法であって、
第２のＵＥから安全メッセージを受信することと、ここにおいて、前記受信された安全メッセージは、前記受信された安全メッセージが第１の安全メッセージタイプ、それとも第２の安全メッセージタイプであるかを示すクラスタインジケータを含み、前記第１の安全メッセージタイプは単一のＵＥに関連付けられ、前記第２の安全メッセージタイプは複数のＵＥに関連付けられる、
前記安全メッセージ中に含まれる前記クラスタインジケータに基づいて、前記受信された安全メッセージが、前記第１の安全メッセージタイプ、それとも前記第２の安全メッセージタイプであるか決定することと、
前記受信された安全メッセージに基づいて、前記第１のＵＥと前記第２のＵＥとの間の近接条件が満足されるかどうか決定することと
を備える方法。
［Ｃ２］
前記第１の安全メッセージタイプは、前記単一のＵＥについてのロケーション情報と動き情報とを備え、前記第２の安全メッセージタイプは、クラスタ形状フィールド、クラスタサイズフィールド、またはクラスタ個体数フィールド（cluster population field）のうちの少なくとも１つを備え、前記第２の安全メッセージタイプの前記クラスタ形状フィールド、前記クラスタサイズフィールド、および前記クラスタ個体数フィールドは複数のＵＥに関連付けられる、Ｃ１に記載の方法。
［Ｃ３］
前記第１の安全メッセージタイプは、ＵＥのクラスタのリーダーＵＥに関連付けられたリーダーＵＥ識別子と、前記ＵＥのクラスタに加わるか、または出るかという意図を示すインジケータとを含むクラスタリング制御フィールドをさらに備える、Ｃ１に記載の方法。
［Ｃ４］
前記第２の安全メッセージタイプは、ＵＥのクラスタのリーダーに関連付けられたリーダーＵＥ識別子、クラスタロケーション情報、またはクラスタ動き情報をさらに備える、Ｃ１に記載の方法。
［Ｃ５］
前記第２の安全メッセージタイプは、前記受信された安全メッセージが、高齢者のグループ、子供のグループ、身体障害があるユーザのグループ、または救急隊員のグループに関連付けられるかどうかを示す特殊グループインジケータフィールドをさらに備える、Ｃ４に記載の方法。
［Ｃ６］
前記第１のＵＥと前記第２のＵＥとの間の前記近接条件が満足されるかどうか前記決定することは、
前記第１のＵＥと前記第２のＵＥとの間の距離が閾値未満であるかどうか決定することと、
前記第１のＵＥと前記第２のＵＥとの間の相対的動きを決定することと
を備える、Ｃ１に記載の方法。
［Ｃ７］
前記第１のＵＥのモードを決定することをさらに備え、前記モードはスタンドアロンモードまたはクラスタメンバーモードである、Ｃ１に記載の方法。
［Ｃ８］
前記第１のＵＥの前記決定されたモードに、および前記近接条件が満足されるかどうかの前記決定に、基づいて、前記第２のＵＥに関連付けられたＵＥのクラスタに加わると決定することと、ここにおいて、前記受信された安全メッセージは前記第２の安全メッセージタイプであり、前記第２のＵＥは前記ＵＥのクラスタのリーダーＵＥである、
前記ＵＥのクラスタに加わるという前記決定に基づいて、第２の安全メッセージを送信することと、前記第２の安全メッセージは、前記第１の安全メッセージタイプであり、前記第２のＵＥに関連付けられた識別子と、前記第２のＵＥに関連付けられた前記ＵＥのクラスタに加わるという意図を示すインジケータとを含むクラスタリング制御フィールドを含む、
をさらに備える、Ｃ７に記載の方法。
［Ｃ９］
前記第１のＵＥの前記決定されたモードに基づいて、前記受信された安全メッセージ中の識別子が、ＵＥのクラスタに関連付けられたリーダーＵＥ識別子と一致するかどうか決定することと、ここにおいて、前記第１のＵＥは前記ＵＥのクラスタのメンバーであり、前記受信された安全メッセージは前記第２の安全メッセージタイプである、
前記識別子が前記リーダーＵＥ識別子と一致するかどうかの前記決定に基づいて、前記近接条件が満足されるかどうか決定することに関連した情報を記憶することと、
前記近接条件が満足されるかどうかの前記決定に基づいて、および前記識別子が前記リーダーＵＥ識別子と一致するかどうかの前記決定に基づいて、前記ＵＥのクラスタを出るかどうか決定することと
をさらに備える、Ｃ７に記載の方法。
［Ｃ１０］
前記ＵＥのクラスタを出るかどうかの前記決定に基づいて、第２の安全メッセージを送信することをさらに備え、前記第２の安全メッセージは、前記第１の安全メッセージタイプに関連付けられ、前記リーダーＵＥ識別子と、第２のＵＥに関連付けられた前記ＵＥのクラスタを出るという意図を示すインジケータとを含むクラスタリング制御フィールドを含む、Ｃ９に記載の方法。
［Ｃ１１］
前記第１のＵＥの前記決定されたモードに基づいて、前記第１のＵＥと前記第２のＵＥとを含むＵＥのクラスタのリーダーＵＥとして働くと決定することと、ここにおいて、前記受信された安全メッセージは前記第１の安全メッセージタイプである、
前記受信された安全メッセージに基づいて、クラスタロケーション情報、クラスタ動き情報、クラスタ形状、クラスタサイズ、またはクラスタ個体数のうちの少なくとも１つを決定することと、
前記クラスタロケーション情報、前記クラスタ動き情報、前記クラスタ形状、前記クラスタサイズ、または前記クラスタ個体数のうちの前記決定された少なくとも１つに基づいて、第２の安全メッセージを送信することと、ここにおいて、前記第２の安全メッセージは前記第２の安全メッセージタイプである、
をさらに備える、Ｃ７に記載の方法。
［Ｃ１２］
前記第１のＵＥの前記決定されたモードと、前記第１のＵＥが、前記ＵＥのクラスタに関連付けられたリーダーＵＥから、持続時間内に前記第２の安全メッセージタイプの第２の安全メッセージを受信したかどうかと、に基づいて、ＵＥのクラスタを出るかどうか決定することをさらに備える、Ｃ７に記載の方法。
［Ｃ１３］
第２の安全メッセージを定期的にブロードキャストすることをさらに備え、前記第２の安全メッセージは前記第１の安全メッセージタイプであり、前記第２の安全メッセージは、前記第１のＵＥに関連付けられたロケーション情報と動き情報とを含む、Ｃ１に記載の方法。
［Ｃ１４］
ＵＥのクラスタに関連付けられたリーダーユーザ機器（ＵＥ）によるワイヤレス通信の方法であって、
前記ＵＥのクラスタに関連付けられた、クラスタロケーション情報、クラスタ動き情報、クラスタ形状、クラスタサイズ、またはクラスタ個体数のうちの少なくとも１つを決定することと、
前記クラスタロケーション情報、前記クラスタ動き情報、前記クラスタ形状、前記クラスタサイズ、または前記クラスタ個体数のうちの前記少なくとも１つを含む安全メッセージをブロードキャストすることと
を備える方法。
［Ｃ１５］
別のＵＥから第２の安全メッセージを受信することと、
前記安全メッセージ中に含まれるクラスタインジケータに基づいて、前記第２の安全メッセージが、第１の安全メッセージタイプ、それとも第２の安全メッセージタイプであるか決定することと
をさらに備える、Ｃ１４に記載の方法。
［Ｃ１６］
前記第２の安全メッセージが前記第１の安全メッセージタイプであるという前記決定に基づいて、前記第２の安全メッセージが前記リーダーＵＥに向けられているかどうかを、前記第２の安全メッセージが、前記リーダーＵＥに関連付けられた識別子を含むクラスタリング制御フィールドを含むかどうかに基づいて決定することをさらに備え、前記第２の安全メッセージは、前記ＵＥのクラスタに加わるか、または出るかという意図を示すインジケータを含む、Ｃ１５に記載の方法。
［Ｃ１７］
前記第２の安全メッセージが前記リーダーＵＥに向けられているという前記決定に基づいて、前記クラスタロケーション情報、前記クラスタ動き情報、前記クラスタ形状、前記クラスタサイズ、または前記クラスタ個体数のうちの少なくとも１つを、前記第２の安全メッセージ中に含まれるＵＥロケーション情報およびＵＥ動き情報に基づいて更新することをさらに備える、Ｃ１６に記載の方法。
［Ｃ１８］
前記ブロードキャストされた安全メッセージは、前記ブロードキャストされた安全メッセージが、高齢者のグループ、子供のグループ、身体障害があるユーザのグループ、または救急隊員のグループに関連付けられるかどうかを示す特殊グループインジケータフィールドを含む、Ｃ１６に記載の方法。
［Ｃ１９］
ワイヤレス通信のための装置であって、前記装置は第１のユーザ機器（ＵＥ）であり、
メモリと、
前記メモリに結合された少なくとも１つのプロセッサとを備え、前記少なくとも１つのプロセッサは、
第２のＵＥから安全メッセージを受信することと、ここにおいて、前記受信された安全メッセージは、前記受信された安全メッセージが第１の安全メッセージタイプ、それとも第２の安全メッセージタイプであるかを示すクラスタインジケータを含み、前記第１の安全メッセージタイプは単一のＵＥに関連付けられ、前記第２の安全メッセージタイプは複数のＵＥに関連付けられる、
前記安全メッセージ中に含まれる前記クラスタインジケータに基づいて、前記受信された安全メッセージが、前記第１の安全メッセージタイプ、それとも前記第２の安全メッセージタイプであるか決定することと、
前記受信された安全メッセージに基づいて、前記第１のＵＥと前記第２のＵＥとの間の近接条件が満足されるかどうか決定することと
を行うように構成される、装置。
［Ｃ２０］
前記少なくとも１つのプロセッサは、
前記第１のＵＥと前記第２のＵＥとの間の距離が閾値未満であるかどうか決定すること、および
前記第１のＵＥと前記第２のＵＥとの間の相対的動きを決定すること
によって、前記第１のＵＥと前記第２のＵＥとの間の前記近接条件が満足されるかどうか決定するように構成される、Ｃ１９に記載の装置。
［Ｃ２１］
前記少なくとも１つのプロセッサは、前記第１のＵＥのモードを決定するように構成され、前記モードはスタンドアロンモードまたはクラスタメンバーモードである、Ｃ１９に記載の装置。
［Ｃ２２］
前記少なくとも１つのプロセッサは、
前記第１のＵＥの前記決定されたモードに、および前記近接条件が満足されるかどうかの前記決定に、基づいて、前記第２のＵＥに関連付けられたＵＥのクラスタに加わると決定することと、ここにおいて、前記受信された安全メッセージは前記第２の安全メッセージタイプであり、前記第２のＵＥは前記ＵＥのクラスタのリーダーＵＥである、
前記ＵＥのクラスタに加わるという前記決定に基づいて、第２の安全メッセージを送信することと、前記第２の安全メッセージは、前記第１の安全メッセージタイプであり、前記第２のＵＥに関連付けられた識別子と、前記第２のＵＥに関連付けられた前記ＵＥのクラスタに加わるという意図を示すインジケータとを含むクラスタリング制御フィールドを含む、
を行うようにさらに構成される、Ｃ２１に記載の装置。
［Ｃ２３］
前記少なくとも１つのプロセッサは、
前記第１のＵＥの前記決定されたモードに基づいて、前記受信された安全メッセージ中の識別子が、ＵＥのクラスタに関連付けられたリーダーＵＥ識別子と一致するかどうか決定することと、ここにおいて、前記第１のＵＥは前記ＵＥのクラスタのメンバーであり、前記受信された安全メッセージは前記第２の安全メッセージタイプである、
前記識別子が前記リーダーＵＥ識別子と一致するかどうかの前記決定に基づいて、前記近接条件が満足されるかどうか決定することに関連した情報を記憶することと、
前記近接条件が満足されるかどうかの前記決定に基づいて、および前記識別子が前記リーダーＵＥ識別子と一致するかどうかの前記決定に基づいて、前記ＵＥのクラスタを出るかどうか決定することと
を行うようにさらに構成される、Ｃ２１に記載の装置。
［Ｃ２４］
前記少なくとも１つのプロセッサは、前記ＵＥのクラスタを出るかどうかの前記決定に基づいて、第２の安全メッセージを送信するようにさらに構成され、前記第２の安全メッセージは、前記第１の安全メッセージタイプに関連付けられ、前記リーダーＵＥ識別子と、第２のＵＥに関連付けられた前記ＵＥのクラスタを出るという意図を示すインジケータとを含むクラスタリング制御フィールドを含む、Ｃ２３に記載の装置。
［Ｃ２５］
前記少なくとも１つのプロセッサは、
前記第１のＵＥの前記決定されたモードに基づいて、前記第１のＵＥと前記第２のＵＥとを含むＵＥのクラスタのリーダーＵＥとして働くと決定することと、ここにおいて、前記受信された安全メッセージは前記第１の安全メッセージタイプである、
前記受信された安全メッセージに基づいて、クラスタロケーション情報、クラスタ動き情報、クラスタ形状、クラスタサイズ、またはクラスタ個体数のうちの少なくとも１つを決定することと、
前記クラスタロケーション情報、前記クラスタ動き情報、前記クラスタ形状、前記クラスタサイズ、または前記クラスタ個体数のうちの前記決定された少なくとも１つに基づいて、第２の安全メッセージを送信することと、ここにおいて、前記第２の安全メッセージは前記第２の安全メッセージタイプである、
を行うようにさらに構成される、Ｃ２１に記載の装置。
［Ｃ２６］
前記少なくとも１つのプロセッサは、前記第１のＵＥの前記決定されたモードと、前記第１のＵＥが、前記ＵＥのクラスタに関連付けられたリーダーＵＥから、持続時間内に前記第２の安全メッセージタイプの第２の安全メッセージを受信したかどうかと、に基づいて、ＵＥのクラスタを出るかどうか決定するようにさらに構成される、Ｃ２１に記載の装置。
［Ｃ２７］
ワイヤレス通信のための装置であって、前記装置は、ＵＥのクラスタに関連付けられたリーダーユーザ機器（ＵＥ）であり、
メモリと、
前記メモリに結合された少なくとも１つのプロセッサとを備え、前記少なくとも１つのプロセッサは、
前記ＵＥのクラスタに関連付けられた、クラスタロケーション情報、クラスタ動き情報、クラスタ形状、クラスタサイズ、またはクラスタ個体数のうちの少なくとも１つを決定し、
前記クラスタロケーション情報、前記クラスタ動き情報、前記クラスタ形状、前記クラスタサイズ、または前記クラスタ個体数のうちの前記少なくとも１つを含む安全メッセージをブロードキャストする
ように構成される、装置。
［Ｃ２８］
前記少なくとも１つのプロセッサは、
別のＵＥから第２の安全メッセージを受信し、
前記安全メッセージ中に含まれるクラスタインジケータに基づいて、前記第２の安全メッセージが、第１の安全メッセージタイプ、それとも第２の安全メッセージタイプであるか決定する
ようにさらに構成される、Ｃ２７に記載の装置。
［Ｃ２９］
前記少なくとも１つのプロセッサは、前記第２の安全メッセージが前記第１の安全メッセージタイプであるという前記決定に基づいて、前記第２の安全メッセージが前記リーダーＵＥに向けられているかどうかを、前記第２の安全メッセージが、前記リーダーＵＥに関連付けられた識別子を含むクラスタリング制御フィールドを含むかどうかに基づいて決定する
ようにさらに構成され、前記第２の安全メッセージは、前記ＵＥのクラスタに加わるか、または出るかという意図を示すインジケータを含む、Ｃ２８に記載の装置。
［Ｃ３０］
前記少なくとも１つのプロセッサは、前記第２の安全メッセージが前記リーダーＵＥに向けられているという前記決定に基づいて、前記クラスタロケーション情報、前記クラスタ動き情報、前記クラスタ形状、前記クラスタサイズ、または前記クラスタ個体数のうちの少なくとも１つを、前記第２の安全メッセージ中に含まれるＵＥロケーション情報およびＵＥ動き情報に基づいて更新する
ようにさらに構成される、Ｃ２９に記載の装置。